(57)【要約】      （修正有）【課題】薪を効率よく燃やし、焚火台で調理する際に、鍋などを載せても安定性を保ちつつ、強火や弱火などの火力の調節ができる焚火台を提供する。【解決手段】焚火台１は、上面が開口した火床２と、火床２を支える脚部３を有する焚火台１であって、火床２は、底板４と、左右一対の側板５、６と、前板を備えており、底板４は、前板を下方として長辺が傾斜をなしている。【選択図】図１
0003232064.tif 000002
【実用新案登録請求の範囲】
【請求項１】
上面が開口した火床と、前記火床を支える脚部を有する焚火台であって、
前記火床は、底板と、左右一対の側板と、前板を備えており、
前記底板は、前記前板を下方として、長辺が傾斜をなすことを
特徴とする焚火台。
【請求項２】
前記一対の側板は、それぞれ、ゴトクを移動可能に取り付けられるように、ゴトク固定用の複数の溝部を上端辺縁部に備えており、
前記側板の溝部の底面と、その溝部と隣り合う溝部の底面を結ぶ線は、
地面との位置関係が平行であることを
特徴とする焚火台。
【考案の詳細な説明】
【技術分野】
【０００１】
本考案は、野外で使用する焚火台に関するものである。
【背景技術】
【０００２】
キャンプなどの野外活動で、焚火をするときは太い薪を平行に並べその間に小さい薪を置いて燃やすと効率よく空気を取り込むことができる。しかし、キャンプ場では直火禁止のところが多く、地面の上に直接薪を組んで火を起こすことはできない。そこで、地面の上に直接薪を組まず、鉄やアルミの台の上に薪を組んで火を起こすような焚火台が求められる。
しかし薪を効率よく燃やすには、薪の断面をなるべく上に向けたり、十字に配置して隙間を空けたりするなどの工夫が必要であった。また焚火台で調理する際に強火や弱火などの火力の調節ができる焚火台は、なかった。
【先行技術文献】
【特許文献】
【０００３】
【特許文献１】特開２０２０−１２５９７
【考案の概要】
【考案が解決しようとする課題】
【０００４】
上記のような焚火台は、堅牢でダッチオーブンを支持することができ、調理をすることが可能である。しかし、焚火台で調理するときは、ガスコンロと違い、強火と弱火などの火力の調節が難しいという問題があった。
また鍋を焚火台中心に置くと強火になり、中心から離すと火から遠くなり弱火にすることができるが、この構造では、中心の金属環の上にしか置くことしかできず、中心から離すと、安定が悪くなり倒れるという問題がある。
またこの焚火台は薪を効率よく燃やすために、薪の断面を上に向けたり、十字に配置して隙間を空けたりするなどの工夫が必要である。暖を取るという視点では、真横の方向へは熾火の遠赤外線が効率よく飛んでおらず非効率であった。
【０００５】
本考案の課題は、薪を効率よく燃やし、焚火台で調理する際に安定性を保ちつつ強火や弱火などの火力の調節ができる焚火台を提供することにある。
【課題を解決するための手段】
【０００６】
上記課題を解決するため、本考案の焚火台は、
上面が開口した火床と、前記火床を支える脚部を有する焚火台であって、
前記火床は、底板と、左右一対の側板と、前板を備えており、
前記底板は、前記前板を下方として、長辺が傾斜をなすことを、
特徴とする焚火台である。
【考案の効果】
【０００７】
薪を斜めに配置することで、薪を効率よく燃やし、また焚火台で調理する際に、鍋を支持するゴトクを火から離したり近づけたりすることによって、安定性を保ちつつ弱火や強火などの火力の調節ができる焚火台を提供する。また暖を取るという点でも、真横の方向へも熾火の遠赤外線が効率よく飛ぶ焚火台を提供する。
【考案を実施するための最良の形態】
【０００８】
以下、図面を用いて、本考案に係る焚火台の実施の形態を説明する。図１は、本考案に係る焚火台を示す斜視図であり、図２は焚火台の正面図である。
焚火台１は上面が開口した火床２と、前記火床を支える脚部３を有している。この焚火台は、焚火をして暖を取るだけでなく、調理目的で、火床２に薪を置いて着火し、ゴトク１０a及び１０b を取り付けて、ゴトクの上に料理が入った土鍋、鉄鍋や鉄板など（図示しない、以下、鍋という）を載せて料理をするものである。ゴトク１０a及び１０bは、移動可能に取り付けられる。
【０００９】
火床２の材質は、強度があり、熱を逃さないステンレスが好ましいが、鉄やチタンなどの金属でもよく、それらに限られるものではない。鉄で作って塗装、フェルマイト処理、メッキ処理を施してもよい。強度及び熱による変形は、鋼材のSS400相当程度で充分である。
【００１０】
火床２は、地面と平行でなく前記前板を下方として長辺が傾斜する底板４と、左右一対の側板５及び６と、前板７を備える。
底板が傾斜しているので、薪を斜めに配置することができる。
【００１１】
よって、上面が開口した火床と、前記火床を支える脚部を有する焚火台であって、
前記火床は、底板と、左右一対の側板と、前板を備えており、
前記底板は、前記前板を下方として、長辺が傾斜をなすことを
特徴とする焚火台である。
【００１２】
図３は、本考案に係る焚火台を示す側面図である。
側板５は第１側板５ａと第２側板５ｂからなる。同様に側板６は第1側板６ａと第2側板６ｂからなる(図示しない)。第1側板及び第2側板の形状は略三角形である。
第1側板５ａは、空気穴９ａと９ｂを有する。
【００１３】
図１より第１側板５ａは、底板４を下方とし外側方向に向かう傾斜をなす。同様に第１側板６ａは、底板４を下方とし外側方向に向かう傾斜をなす。
【００１４】
図１より第２側板５ｂは、第１側板５ａを下方とし内側方向に向かう傾斜をなす。
同様に図１より第２側板６ｂは、第１側板６ａ下方とし内側方向に向かう傾斜をなす。
【００１５】
図３より第２側板はそれぞれ、ゴトクを移動可能に取り付けられるように、ゴトク固定用の複数の溝部を、その上端辺縁部に備えている。
複数設けられている溝部のうち、隣り同士の溝部を任意に選び８ａと８ｂする。
前記側板の溝部８ａと溝部８ｂの底面を結ぶ線lと、地面l’とは位置関係が平行である。
即ち、溝部８ａの地面からの高さhとし、溝部８ｂの地面からの高さh’とすると、h とh’は等しい(図示しない)。
溝部８ａと溝部８ｂの底面を結ぶ線lと、地面l’が平行であるのは、ゴトクを取り付けたときに鍋を置いても、傾かないようにするためである。
【００１６】
よって、前記一対の側板は、それぞれ、ゴトクを移動可能に取り付けられるように、ゴトク固定用の複数の溝部を上端辺縁部に備えており、前記側板の溝部の底面と、その溝部と隣り合う溝部の底面を結ぶ線は、地面との位置関係が平行であることを特徴とする焚火台である。
【００１７】
各々の溝部は等間隔(約2〜3センチ)あけて設けられるのが好ましい。
【００１８】
図４は、火床の一部の展開図である。
図４の火床の一部は、一枚で折り曲げる。図４は、底板４と、両側に、第1側板５ａと第2側板５ｂ、第1側板６ａと第2側板６ｂからなる。
【００１９】
図１にあるように底板４の形状は、前板側を短辺とする台形である。底板４は、前板７を下方として、長辺が傾斜している。底板４の前板側には、図４にあるように開口部１７を有する。この開口部は、組み立て時に脚部３を差し込むためのものである。底板４は、開口部を形成する折り曲げ部１１を備える。折り曲げ部は、線kで折り曲げて開口部１７を形成する。
底板４は、薪の燃焼効率を高めるため複数の空気穴１２を有する。
【００２０】
図５は、前板の展開図である。図５にあるように、前板７は、第1前板７aと第2前板７bと７cからなる。第１前板７aは、矩形状であり空気穴１８を有する。第２前板は略三角形である。第２前板７b、７cは、第1前板７aの左右にある。
前板７は、線Rおよび線R’で折り曲げる。
前記前板は、火床で薪を支える役目をする。
【００２１】
図４は火床の一部の展開図であり、底板と、底板の左右両側にある側板からなる。
図５に示す通り火床の前板は別に作り、後で図４に示す火床の一部と接合する。
【００２２】
図1の脚部３は、前記火床を支える脚部である。脚部の材質は、強度があり、熱を逃さないステンレスが好ましいが、鉄やチタンなどの金属でもよく、それらに限られるものではない。鉄で作って塗装、フェルマイト処理、メッキ処理を施してもよい。強度及び熱による変形は、鋼材のSS400相当程度で充分である。
脚部３は、一対の屈曲部１３ａ,屈曲部１３ｂ(図示しない)、支承部１４ａ,１４ｂよりなる。
脚部３は焚火台の組み立て時に、図４に示す底板の開口部１７から差し込む。
【００２３】
図６は脚部の屈曲部１３ａの側面図である。屈曲部は、屈曲点１５で底板の開口部と接している。また凹部１６を設けて底板を載せて支えている。
【００２４】
ゴトク１０a及び１０bは、移動可能に取り付けられる。ゴトク１０a及び１０bの上に鍋を置いて調理する。前記ゴトクは、鍋を支える支持部１９と、支持部の左右両側に足２０を備えており、取り付け時は、足２０の先端を火床の側板の溝部に固定する。
またゴトクの支持部１９は、鍋が滑り落ちないよう複数の溝部を上端辺縁部に備えている。
前記ゴトクは火床に２つ取り付けることによって、鍋を安定して置くことができる。
調理の際は、ゴトクを火に近く取り付けると強火になり、火から離すと弱火になるので、火力を調節できる。
ゴトクの材質は、ステンレス製が好ましい。
【００２５】
本考案の火床において、前記底板が、前記前板を下方として、長辺が傾斜しているのは、薪を斜めに配置できるからである。
薪を斜めに配置することで、水平に配置したゴトクに対して薪とゴトクとの高さ方向の距離が徐々に変わる事になるので、調理時に容易に火力調節ができる。
また薪は、繊維に従って縦に配置する方が良く燃えるので、薪を水平に配置するその他の焚火台と比較して、自然とその状態に近い状態で薪を配置できる。
【実施例】
【００２６】
下記は、本考案の焚火台を「安定性」「熱変形」「垂直耐荷重」「落下強度」について試験後、評価したものである。
【００２７】
(安定性実験１)
図７で示すように、ゴトク上に、３００Nの荷重を載せ、焚火台を底板の長辺側に１０度傾斜させた。なお、重鎮を載せる位置は、ゴトク上で焚火台の中心部であった。
その結果、焚火台は転倒しなかったことを目視で確認できた。なお、重鎮を載せる位置は、ゴトク上で焚火台の中心部であった。
【００２８】
(安定性実験２)
図８で示すように、ゴトク上に、３００Nの荷重を載せ、焚火台を底板の短辺側に１０度傾斜させた。なお、重鎮を載せる位置は、ゴトク上で焚火台の前板寄りであった。
その結果、焚火台は転倒しなかったことを目視で確認できた。
【００２９】
(熱変形実験)
燃料を広葉樹の薪とする。３時間連続で燃焼後にシャワー状に水をかけて、急冷し、強制的に歪ませた。その後再度燃焼してゆがみの戻り具合を観察した。
その結果、急冷時に、部品がはじけ飛ぶなどの危険がなかった。
再度燃焼して、器具が使用できる状態に回復した。
【００３０】
(垂直耐荷重実験)
図１０で示すように、焚火台を水平かつなめらかな鉄、もしくはコンクリートに設置し、板上に５７０Nの荷重をほぼ等分布になるように載せる。７２時間経過後に、荷重を除去する。なお重鎮を載せる位置は、ゴトク上で焚火台の中心部であった。
その結果、各部に使用上の支障ある変形等がなく、組み立てと分解に支障がないことを目視・操作により、確認した。
【００３１】
(落下強度実験)
図１１で示すように、４ｃｍ以上の厚みのコンクリート床面に３ｍｍのコンポジションビニール床タイル（ビニールアスベスト）を張り付け、６００ｍｍの高さから焚火台の底面がコンポジションビニール床タイルに平行になるように自然落下を一回行った。
その結果、各部に使用上の支障ある変形等がなく、組み立てと分解に支障がないことを目視・操作により、確認した。
【００３２】
上記の実施例により、本考案の焚火台は、「安定性」「熱変形」「垂直耐荷重」「落下強度」において「良好」と評価できる。
【産業上の利用可能性】
【００３３】
本考案に係る焚火台は、焚火台で調理する際に、安定性を保ちつつ強火や弱火などの火力の調節が容易にできる焚火台を提供することにある。
【図面の簡単な説明】
【００３４】
【図１】本考案に係る焚火台を示す斜視図である。
【図２】焚火台の正面図である。
【図３】焚火台の側面図である。
【図４】火床の一部の展開図である。
【図５】火床の前板の展開図である。
【図６】脚部の屈曲部の側面図である。
【図７】安定性実験１の説明図である。
【図８】安定性実験２の説明図である。
【図９】垂直耐荷重実験の説明図である。
【図１０】落下強度実験の説明図である。
【符号の説明】
【００３５】
１              焚火台
２              火床
３              脚部
４              底板
５              側板
５ａ            第１側板
５ｂ            第２側板
６              側板
６ａ            第１側板
６ｂ            第２側板
７              前板
７ａ            第１前板
７ｂ            第２前板
７ｃ            第２前板
８ａ            溝部
８ｂ            溝部
９ａ            空気穴
９ｂ            空気穴
１０a           ゴトク
１０b           ゴトク
１１            折り曲げ部
１２            空気穴
１３ａ          脚部の屈曲部
１３ｂ          脚部の屈曲部
１４ａ          脚部の支承部
１４ｂ          脚部の支承部
１５            屈曲部の屈曲点
１６            屈曲部の凹部
１７            底板の開口部
１８            空気穴
１９            ゴトクの支持部
２０            ゴトクの足
【図１】
0003232064.tif 000003
【図２】
0003232064.tif 000004
【図３】
0003232064.tif 000005
【図４】
0003232064.tif 000006
【図５】
0003232064.tif 000007
【図６】
0003232064.tif 000008
【図７】
0003232064.tif 000009
【図８】
0003232064.tif 000010
【図９】
0003232064.tif 000011
【図１０】
0003232064.tif 000012
【手続補正書】
【提出日】令和3年3月17日(2021.3.17)
【手続補正１】
【補正対象書類名】実用新案登録請求の範囲
【補正対象項目名】全文
【補正方法】変更
【補正の内容】
【実用新案登録請求の範囲】
【請求項１】
上面が開口した火床と、前記火床を支える脚部を有する焚火台であって、
前記火床は、底板と、左右一対の側板と、前板を備えており、
前記底板は、前記前板を下方として、長辺が傾斜をなすことを
特徴とする焚火台。
【請求項２】
前記一対の側板は、それぞれ、ゴトクを移動可能に取り付けられるように、ゴトク固定用の複数の溝部を上端辺縁部に備えており、
前記側板の溝部の底面と、その溝部と隣り合う溝部の底面を結ぶ線は、
地面との位置関係が平行であることを
特徴とする請求項１記載の焚火台。